(57)【要約】【課題】ユーザーが機器本体から記録媒体を引き抜く際のフィーリングを悪化させることなく、記録媒体を搬送する搬送力を強くすることができる情報処理装置を提供する。【解決手段】ＣＤチェンジャは搬送ローラ２２とディスクガイド２３とコイルばね３０と板ばね３１を備えている。搬送ローラ２２とディスクガイド２３とが互いに接離自在に設けられて機器本体の幅方向の端に向かうにしたがって互いの間隔が徐々に狭く形成されている。コイルばね３０は搬送ローラ２２とディスクガイド２３とを互いに近づく方向に付勢している。板ばね３１は搬送ローラ２２とディスクガイド２３との中央部間のみにＣＤ２が位置付けられると搬送ローラ２２と間隔をあけかつ搬送ローラ２２とディスクガイド２３との端部間と中央部間との双方にＣＤ２が位置付けられると搬送ローラ２２に接触して当該搬送ローラ２２をディスクガイド２３に向かって付勢している。【選択図】図３
2009076157.tif 000002
【特許請求の範囲】
【請求項１】
互いの間に記録媒体を挟みこんで当該記録媒体を機器本体に出し入れするとともに、前記機器本体の幅方向の端に向かうにしたがって互いの間隔が徐々に狭く形成された一対の挟持部材と、
前記一対の挟持部材同士を互いに近づく方向に付勢した付勢手段と、を備えた情報処理装置において、
前記一対の挟持部材の中央部間のみに前記記録媒体が位置付けられると、一方の挟持部材と間隔をあけ、かつ前記一対の挟持部材の端部間と中央部間との双方に前記記録媒体が位置付けられると前記一方の挟持部材に接触して、当該一方の挟持部材を他方の挟持部材に向かって付勢する第２付勢手段を備えたことを特徴とする情報処理装置。
【請求項２】
前記一対の挟持部材のいずれか一つが、前記記録媒体を搬送する搬送ローラであり、
前記記録媒体を排出する際に、前記一対の挟持部材の中央部間のみに前記記録媒体が位置付けられた状態で前記搬送ローラの回転を停止する制御手段を備えたことを特徴とする請求項１に記載の情報処理装置。
【発明の詳細な説明】
【技術分野】
【０００１】
本発明は、自動車などに搭載される情報処理装置に関し、更に詳しくは、記録媒体を機器本体内に出し入れ自在であり、この機器本体内に収容した記録媒体に記録された情報を再生する情報処理装置に関する。
【背景技術】
【０００２】
例えば、移動体としての自動車のインストルメントパネル（以下インパネと呼ぶ）には、情報処理装置としてのＣＤプレーヤ（例えば、特許文献１参照）が取り付けられる。ＣＤプレーヤは、記録媒体としてのCompact Disc（以下ＣＤと呼ぶ）が記録した情報を読み出す。
【０００３】
特許文献１に示されたＣＤプレーヤは、前記インパネに取り付けられる機器本体と、前記機器本体に開口した記録媒体挿入口と、ＣＤを機器本体の内外に出し入れする搬送部としての搬送ユニットと、前記ＣＤに記録された情報を読み出すための再生ユニット等を備えている。機器本体は、複数の板金などが互いに組み付けられて箱状に形成されたシャーシを備えている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。搬送ユニットは、互いに接離自在に設けられた一対の挟持部材と、これらの挟持部材同士を互いに近づく方向に付勢する付勢手段としてのコイルばねとを備えている。
【０００５】
これら一対の挟持部材のうち一方は、回転自在に設けられたローラアームと、このローラアームに回転自在に支持されてモータなどの駆動源によって回転駆動される搬送ローラを備えている。搬送ローラは、前記モータなどの駆動源によって回転駆動されることによって、ＣＤを搬送する。他方の挟持部材は、摩擦係数の小さい滑り部材を備えている。滑り部材は、前記搬送ローラとの間に前記ＣＤを挟んで、該ＣＤの搬送方向を案内する。搬送ユニットは、一対の挟持部材間にＣＤを挟んで、前記ＣＤを搬送する。
【０００６】
再生ユニットは、機器本体内に収容されたＣＤをクランプして、当該ＣＤの情報を読み出す。
【０００７】
前述したＣＤプレーヤは、搬送ユニットが機器本体にＣＤを出し入れし、再生ユニットが機器本体内のＣＤの情報を読み出して再生する。
【特許文献１】特開２０００−２０７８０２号公報
【発明の開示】
【発明が解決しようとする課題】
【０００８】
しかしながら、前述した従来のＣＤプレーヤは、一つの付勢手段としてのコイルばねによって一対の挟持部材を互いに近づく方向に付勢し、これらの挟持部材間にＣＤを挟み込んで、当該ＣＤを機器本体に出し入れしてきた。このため、例えば、ＣＤの外表面に油分や塵埃などが付着しても当該ＣＤを機器本体に出し入れできるようにコイルばねの付勢力を強くすると、排出位置に位置するＣＤを一対の挟持部材が挟み込む力も強くなってしまい、ユーザーが一対の挟持部材からＣＤを引き抜く際のフィーリングが悪化するということがあった。
【０００９】
したがって、本発明の目的は、例えば、特に、ユーザーが機器本体から記録媒体を引き抜く際のフィーリングを悪化させることなく、記録媒体を搬送する搬送力を強くすることができる情報処理装置を提供することにある。
【課題を解決するための手段】
【００１０】
前記課題を解決し目的を達成するために、請求項１に記載の本発明の情報処理装置は、互いの間に記録媒体を挟みこんで当該記録媒体を機器本体に出し入れするとともに、前記機器本体の幅方向の端に向かうにしたがって互いの間隔が徐々に狭く形成された一対の挟持部材と、前記一対の挟持部材同士を互いに近づく方向に付勢した付勢手段と、を備えた情報処理装置において、前記一対の挟持部材の中央部間のみに前記記録媒体が位置付けられると、一方の挟持部材と間隔をあけ、かつ前記一対の挟持部材の端部間と中央部間との双方に前記記録媒体が位置付けられると前記一方の挟持部材に接触して、当該一方の挟持部材を他方の挟持部材に向かって付勢する第２付勢手段を備えたことを特徴としている。
【発明を実施するための最良の形態】
【００１１】
以下、本発明の一実施形態にかかる情報処理装置を説明する。本発明の一実施形態にかかる情報処理装置は、互いの間に記録媒体を挟んで出し入れする一対の挟持部材間の間隔を機器本体の端に向かうにしたがって徐々に狭く形成し、常に一対の挟持部材同士を近づく方向に付勢する付勢手段とは別体に、一対の挟持部材の端部間のみに記録媒体が位置した状態即ち一対の挟持部材が互いの間に挟みこんだ記録媒体を出し入れしている状態に、これら一対の挟持部材が互いに近づく方向に付勢する第２付勢手段を設けている。
【００１２】
こうすることで、常に一対の挟持部材同士を近づく方向に付勢する付勢手段の付勢力を最小限にすることができ、即ち、付勢手段が一対の挟持部材同士を近づく方向に付勢する付勢力を最小限にすることができる。したがって、記録媒体の外表面に油分や塵埃などが付着しても記録媒体を搬送できる搬送力を確保しながらも、機器本体外に排出された記録媒体を一対の挟持部材が挟み込む力を最小限にして即ち抑制して、ユーザーが一対の挟持部材間から記録媒体を引き抜く際のフィーリングを良好に保つことができる。
【００１３】
また、機器本体外に排出された記録媒体が一対の挟持部材の幅方向Ｘの中央部間のみに挟まれる位置（排出位置）に位置付けられた状態で、制御手段からの命令によって搬送ローラ２２の回転が停止されても良い。この場合、排出位置では第２付勢手段は挟持部材を付勢していないため、ユーザーは記録媒体を容易に引き抜くことができる。
【実施例】
【００１４】
以下、本発明の一実施例にかかる情報処理装置の一例としてのＣＤチェンジャ１を、図１ないし図１０に基づいて説明する。図１などに示すＣＤチェンジャ１は、自動車などの移動体に装備されて、記録媒体としてのＣＤ２（図２などに示す）を複数収容して、これらのＣＤ２から任意のＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１５】
ＣＤチェンジャ１は、図２に示すように、機器本体３（図１に示す）と、図示しない操作部と、駆動源としてのモータ１３と、搬送部としてのディスク搬送部４と、ディスク再生部５と、収容部としてのディスク収容部６と、ディスク移動機構７と、モータ１３、ディスク搬送部４、ディスク再生部５、ディスク収容部６及びディスク移動機構７を制御してＣＤチェンジャ１全体の制御をつかさどる制御手段としての図示しないマイクロプロセッサ（ＭＰＵ）と、を備えている。なお、以下、図２中の矢印ＸをＣＤチェンジャ１の幅方向と記し、矢印ＹをＣＤチェンジャ１の奥行き方向と記し、矢印ＺをＣＤチェンジャ１の厚み方向と記す。
【００１６】
機器本体３は、合成樹脂からなる図１に示す外側ケース８と、板金などからなる図２などに示す固定シャーシ９などを備えている。外側ケース８は、扁平な箱状に形成されている。外側ケース８には、ＣＤ２を出し入れ可能な挿入口１０が設けられている。挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。
【００１７】
固定シャーシ９は、外側ケース８内に収容されているとともに、該外側ケース８に固定されている。固定シャーシ９は、図２に示すように、板状の底板１１と、この底板１１の外縁から立設した周板１２と、前記底板１１と間隔をあけて設けられた中間板１４とを備えている。
【００１８】
底板１１は、外側ケース８の図１中下側に位置する壁上に重ねられている。中間板１４は、挿入口１０と図２中手前側に位置する一つの周板１２との双方の近傍に配置され、かつ底板１１と平行に設けられている。
【００１９】
操作部は、機器本体３と別体でかつこの機器本体３に接続している。操作部は、ＣＤチェンジャ１の使用者により押圧されるなどして操作される。操作部は、使用者に操作されることで、挿入口１０を通して機器本体３内に挿入されるＣＤ２を保持する後述のホルダ１９を設定するために用いられる。操作部は、使用者に操作されることで、挿入口１０を通して機器本体３外に排出されるＣＤ２を保持したホルダ１９を設定するために用いられる。操作部は、使用者に操作されることで、複数のホルダ１９に保持されたＣＤ２のうち情報を読み出すＣＤ２を設定するために用いられる。
【００２０】
モータ１３は、固定シャーシ９の底板１１などに取り付けられ、前述した挿入口１０と図２中手前側に位置する一つの周板１２の近傍に配されている。モータ１３は、出力軸の軸芯が、挿入口１０の長手方向即ち機器本体３の幅方向Ｘに沿っている。モータ１３の出力軸には、ウォーム１５（図２に示す）が取り付けられている。
【００２１】
また、ウォーム１５には、図２に示すように、中間板１４に回転自在に支持された一つの歯車１６が噛み合っているとともに、更に、この一つの歯車１６に中間板１４に回転自在に支持された他の歯車１７が噛み合っている。
【００２２】
ディスク搬送部４は、機器本体３内に収容されており、後述する搬送ローラ２２とディスクガイド２３との間にＣＤ２を挟み込んで、搬送ローラ２２がモータ１３に回転駆動されることで、ＣＤ２を機器本体３に出し入れする。このように、搬送ローラ２２即ちディスク搬送部４は、機器本体３の内外にＣＤ２を搬送する。このディスク搬送部４の詳細な構成は、後ほど、説明する。
【００２３】
ディスク再生部５は、機器本体３内に収容されており、移動シャーシと、この移動シャーシに揺動自在に支持された揺動シャーシと、クランプ再生部とを備えている。移動シャーシは、枠状に形成され、厚み方向Ｚ即ちＣＤ２同士が重ねられる方向に沿って移動自在に固定シャーシ９の周板１２などに支持されている。
【００２４】
揺動シャーシは、帯板状に形成されている。揺動シャーシは、一端部を中心として回動自在に移動シャーシに支持されている。揺動シャーシは、一端部を中心として回動することで、ディスク収容部６に収容される複数のＣＤ２間に他端部が侵入する状態と、ディスク収容部６に収容される複数のＣＤ２間から他端部が抜け出る状態とに亘って変位自在になっている。
【００２５】
クランプ再生部は、揺動シャーシ上に設けられている。クランプ再生部は、ＣＤ２をクランプするターンテーブルと、当該ターンテーブルを回転するスピンドルモータと、ターンテーブルにクランプされたＣＤ２の径方向に移動自在でかつＣＤ２からの情報を読み出すピックアップなどを備えている。クランプ再生部は、揺動シャーシの他端部がＣＤ２間に侵入して、ターンテーブルが該ＣＤ２をクランプして、スピンドルモータが当該ＣＤ２を回転する。そして、クランプ再生部は、ターンテーブルが回転しているＣＤ２からピックアップが情報を読み出す。
【００２６】
ディスク再生部５は、揺動シャーシの他端部がＣＤ２間に侵入して、ターンテーブルがＣＤ２をクランプするとともに、ターンテーブルがＣＤ２を回転する。ディスク再生部５は、ピックアップが、ターンテーブルにより回転されたＣＤ２から情報を読み出す。
【００２７】
ディスク収容部６は、機器本体３内に収容されており、図２に示すように、移動シャーシ１８と、複数の保持部材としてのホルダ１９とを備えている。移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した厚み方向Ｚ即ちＣＤ２同士が重ねられる方向に沿って移動自在に固定シャーシ９の周板１２などに支持されている。
【００２８】
ホルダ１９は、合成樹脂からなり、板状に形成されている。ホルダ１９の平面形状は、Ｃ字状に形成されている。ホルダ１９は、底板１１と移動シャーシ１８との双方と平行な状態で、移動シャーシ１８に支持されている。ホルダ１９は、そのＣ字状に形成された開口部が挿入口１０と相対する状態に配されている。
【００２９】
ホルダ１９は、挿入口１０を通して機器本体３に挿入されたＣＤ２が、開口部を通して内側に侵入することで、このＣＤ２を保持する。複数のホルダ１９は、各々が保持するＣＤ２の表面が互いに平行になるように、互いに重ねられて配されている。ホルダ１９は、前記厚み方向Ｚに沿って移動自在に移動シャーシ１８などに支持されている。ディスク収容部６は、ＣＤ２を保持可能な複数のホルダ１９を積層配列して収容する。
【００３０】
ディスク移動機構７は、機器本体３内に収容されており、ディスク再生部５とディスク収容部６の双方の移動シャーシ１８を厚み方向Ｚに沿って移動させるとともに、ディスク収容部６の各ホルダ１９を厚み方向Ｚに沿って移動させる。ディスク移動機構７は、機器本体３内のＣＤ２から情報を読み出す際には、ディスク収容部６の移動シャーシ１８を底板１１から最も遠ざけて即ち最も上昇させて、ディスク再生部５の移動シャーシを厚み方向Ｚに沿って移動させる。そして、ディスク移動機構７は、ディスク収容部６のホルダ１９を厚み方向Ｚに沿って移動させて、一つのＣＤ２を保持したホルダ１９を他のホルダ１９から遠ざけて、これらのホルダ１９間に揺動シャーシの他端部を侵入させて、ディスク再生部５のクランプ再生部に前述した一つのＣＤ２から情報を読み出させる。
【００３１】
ディスク移動機構７は、機器本体３の内外にＣＤ２を出し入れする際には、ディスク再生部５の移動シャーシを底板１１に最も近づけて即ち最も降下させて、ディスク収容部６の移動シャーシ１８を厚み方向Ｚに沿って移動させる。そして、ディスク移動機構７は、ディスク収容部６のホルダ１９を厚み方向Ｚに沿って移動させて、機器本体３に挿入されたＣＤ２を保持する又は保持したＣＤ２を機器本体３外に排出する一つのホルダ１９を他のホルダ１９から遠ざけるとともに、この一つのホルダ１９をディスク搬送部４の後述のローラアーム２１とディスクガイド２３との間と奥行き方向Ｙに沿って並ぶ位置に位置付けて、機器本体３に挿入されたＣＤ２を前述した一つのホルダ１９に保持させたり、前述した一つのホルダ１９に保持されたＣＤ２を機器本体３外に排出させる。
【００３２】
ディスク搬送部４は、図３及び図４に示すように、本体シャーシ２０（図２に示す）と、挟持部材としての搬送ローラ２２と、挟持部材としてのディスクガイド２３と、付勢手段としてのコイルばね３０と、第２付勢手段としての板ばね３１と、回転伝達機構３２とを備えている。
【００３３】
本体シャーシ２０は、板金で構成されて、挿入口１０と図２中手前側の一つの周板１２との双方の近傍即ちモータ１３と中間板１４の近傍に配置されている。本体シャーシ２０は、ディスク再生部５の移動シャーシに取り付けられている。このため、本体シャーシ２０即ちディスク搬送部４は、ディスク再生部５のクランプ再生部とともに厚み方向Ｚに沿って移動自在となる。
【００３４】
搬送ローラ２２は、ローラアーム２１と、ローラ３３とを備えている。ローラアーム２１は、板金などからなり、長手方向が機器本体３の幅方向Ｘに沿った帯状に形成されている。ローラアーム２１は、挿入口１０の近傍に配され、奥行き方向Ｙの機器本体３の奥寄りの一端部を中心として、本体シャーシ２０に幅方向Ｘ回りに回転自在に支持されている。
【００３５】
ローラ３３は、金属で構成された芯軸３４と、当該芯軸３４の外周に取り付けられかつゴムなどの弾性を有する合成樹脂で構成されたゴムローラ３５と、を備えている。ローラ３３は、その軸芯が幅方向Ｘと平行に配置され、ローラアーム２１の他端部に軸芯周りに回転自在に支持されている。ローラ３３の芯軸３４の図２中手前側の端部には、ローラ駆動用の歯車２９が同軸的に固定されている。
【００３６】
ローラ３３は、外周面に挿入口１０内を通されるＣＤ２が接触する。また、ローラ３３のゴムローラ３５は、機器本体３の幅方向Ｘの中央に向かうにしたがって徐々に細くなるように形成されている。
【００３７】
ディスクガイド２３は、ＣＤ２との摩擦係数の小さな合成樹脂で構成され、帯板状に形成されている。ディスクガイド２３は、その長手方向が幅方向Ｘと平行に配置され、かつ本体シャーシ２０に固定されている。ディスクガイド２３は、機器本体３の幅方向Ｘにその厚みが一定に形成されている。ディスクガイド２３は、コイルばね３０によって搬送ローラ２２が付勢されることで、表面上に位置付けるＣＤ２を搬送ローラ２２との間に挟みこむ。
【００３８】
前述した搬送ローラ２２とディスクガイド２３とは、互いにＣＤ２を挟み込んで、ローラ３３がその軸芯回りに回転されることで、ＣＤ２を機器本体３に出し入れする。また、搬送ローラ２２のローラ３３のゴムローラ３５が幅方向Ｘの中央に向かうにしたがって徐々に細く形成されているので、図４に示すように、搬送ローラ２２とディスクガイド２３との間隔が幅方向Ｘの端に向かうにしたがって徐々に狭く形成されている。また、搬送ローラ２２とディスクガイド２３とは、ローラアーム２１が前述した一端部を中心として回転することで、互いに接離する。なお、搬送ローラ２２は、特許請求の範囲に記載された一方の挟持部材をなし、ディスクガイド２３は、特許請求の範囲に記載された他方の挟持部材をなしている。
【００３９】
コイルばね３０は、搬送ローラ２２の前述した端部に取り付けられて、当該搬送ローラ２２即ちローラアーム２１の他端部をディスクガイド２３に向かって付勢している。即ち、コイルばね３０は、常に、搬送ローラ２２とディスクガイド２３とを互いに近づく方向に付勢している。
【００４０】
板ばね３１は、機器本体３の幅方向Ｘの少なくとも一端部に設けられている。板ばね３１は、その一端部が機器本体３の外側ケース８の天井の内面に取り付けられ、かつ当該一端部からローラアーム２１に向かって延在している。板ばね３１は、図３に示すように、搬送ローラ２２とディスクガイド２３とが最も近づいた状態及び搬送ローラ２２とディスクガイド２３の幅方向Ｘの中央部間のみにＣＤ２が挟まった状態（位置付けられた状態）では、その他端部がローラアーム２１と間隔をあける。
【００４１】
板ばね３１は、図８に示すように、搬送ローラ２２とディスクガイド２３の幅方向Ｘの両端部間と中央部間にＣＤ２が挟まった状態（位置付けられた状態）では、その他端部がローラアーム２１に接触し、当該ローラアーム２１から押圧されて、弾性変形する。そして、板ばね３１は、勿論、ローラアーム２１の他端部即ちローラ３３をディスクガイド２３に向かって付勢する。
【００４２】
回転伝達機構３２は、第１の歯車２４と、第２の歯車２５とを備えている。第１の歯車２４は、ローラ駆動用の歯車２９と間隔をあけて配置され、かつ本体シャーシ２０に回転自在に支持されている。第１の歯車２４は、前述した他の歯車１７と噛み合っている。このため、第１の歯車２４は、モータ１３の駆動力を搬送ローラ２２に伝達して、当該搬送ローラ２２を軸芯回りに回転するために用いられる。
【００４３】
第２の歯車２５は、ローラアーム２１に回転自在に設けられ、前述した第１の歯車２４とローラ駆動用の歯車２９との双方と噛み合っている。このため、第２の歯車２５は、モータ１３の駆動力によって、回転されるとともに、ローラ駆動用の歯車２９即ち搬送ローラ２２を軸芯回りに回転させる。このため、第２の歯車２５は、モータ１３の駆動力を搬送ローラ２２に伝達して、当該搬送ローラ２２を軸芯回りに回転するために用いられる。
【００４４】
前述した構成のディスク搬送部４は、以下のように、ＣＤ２を機器本体３に出し入れする。まず、ＣＤ２を機器本体３内に収容する際には、搬送ローラ２２のローラ３３の幅方向Ｘの中央部とディスクガイド２３の幅方向Ｘの中央部との間にＣＤ２を挿入する。すると、図５及び図６に示すように、ディスクガイド２３からローラ３３が離れる方向に、搬送ローラ２２のローラアーム２１が回転するとともに、板ばね３１の他端部がローラアーム２１と間隔をあけた状態に保つ。すると、勿論、図７に示すように、搬送ローラ２２のローラ３３の中央部のみがＣＤ２に重なる。
【００４５】
そして、モータ１３が、ＣＤ２を機器本体３内に収容する方向に搬送ローラ２２のローラ３３を回転させて、回転するローラ３３によりＣＤ２が徐々に機器本体３内に収容されるとともに、搬送ローラ２２のローラ３３がディスクガイド２３から徐々に離れる。そして、図９及び図１０に示すように、搬送ローラ２２のローラ３３の幅方向Ｘの両端部とディスクガイド２３の幅方向Ｘの両端部との間にＣＤ２が位置付けられると、図８に示すように、板ばね３１が、ローラアーム２１から押圧されて弾性変形して、ローラアーム２１即ちローラ３３をディスクガイド２３に向かって付勢する。これにより、板ばね３１の付勢力の分だけローラ３３がＣＤ２を圧着する力が増し、すなわち、ＣＤ２を搬送する搬送力が増すことになる。
【００４６】
さらに、モータ１３が回転して、ＣＤ２が機器本体３に収容されていくのにしたがって、搬送ローラ２２のローラ３３とディスクガイド２３とが徐々に互いに近づく。そして、機器本体３内にＣＤ２が収容される。
【００４７】
また、ＣＤ２を排出する際には、先ほどと逆向きにモータ１３が搬送ローラ２２のローラ３３を回転する。そして、図５及び図６に示すように、機器本体３外に排出されたＣＤ２が搬送ローラ２２のローラ３３の幅方向Ｘの中央部とディスクガイド２３の幅方向Ｘの中央部との間のみに挟まれる位置（排出位置）に位置付けられた状態で、ＭＰＵからの命令によって搬送ローラ２２のローラ３３の回転が停止される。この排出位置では、板ばね３１はローラアーム２１を付勢していないため、ユーザーはＣＤ２を容易に引き抜くことができる。
【００４８】
本実施例によれば、互いの間にＣＤ２を挟んで出し入れする搬送ローラ２２とディスクガイド２３との間の間隔を機器本体３の幅方向Ｘの端に向かうにしたがって徐々に狭く形成し、常に搬送ローラ２２とディスクガイド２３とを互いに近づく方向に付勢するコイルばね３０とは別体に、搬送ローラ２２とディスクガイド２３との端部間のみにＣＤ２が位置した状態即ち搬送ローラ２２とディスクガイド２３とが互いの間に挟みこんだＣＤ２を出し入れしている状態に、これらの搬送ローラ２２とディスクガイド２３とが互いに近づく方向に付勢する板ばね３１を設けている。
【００４９】
こうすることで、常に搬送ローラ２２とディスクガイド２３とを互いに近づく方向に付勢するコイルばね３０の付勢力を最小限にすることができ、即ち、コイルばね３０が搬送ローラ２２とディスクガイド２３とを互いに近づく方向に付勢する付勢力を最小限にすることができる。したがって、ＣＤ２の外表面に油分や塵埃などが付着してもＣＤ２を搬送できる搬送力を確保しながらも、機器本体３外に排出されたＣＤ２を搬送ローラ２２とディスクガイド２３とが挟み込む力を最小限にして即ち抑制して、ユーザーが搬送ローラ２２とディスクガイド２３との間からＣＤ２を引き抜く際のフィーリングを良好に保つことができる。
【００５０】
また、機器本体３外に排出されたＣＤ２が搬送ローラ２２とディスクガイド２３の幅方向Ｘの中央部間のみに挟まれる位置（排出位置）に位置付けられた状態で、搬送ローラ２２の回転が停止される。このため、排出位置では、板ばね３１が搬送ローラ２２のローラアーム２１を付勢していないため、ユーザーはＣＤ２を容易に引き抜くことができる。
【００５１】
前述した実施例では、記録媒体としてのＣＤ２を複数収容するＣＤチェンジャ１を示している。しかしながら、本発明では、例えば、記録媒体としてのＣＤ、ＤＶＤ（Digital Versatile Disc）やＭＤ（Mini Disc）を一枚以上収容する情報処理装置に適用しても良い。
【００５２】
また、前述した実施例では、搬送ローラ２２のローラ３３を中央に向かうにしたがって徐々に細く形成したが、本発明では、ディスクガイド２３を中央に向かうにしたがって徐々に薄く形成したり、搬送ローラ２２のローラ３３を中央に向かうにしたがって徐々に細く形成しかつディスクガイド２３を中央に向かうにしたがって徐々に薄く形成して、機器本体３の幅方向Ｘの端に向かうにしたがって搬送ローラ２２のローラ３３とディスクガイド２３との間隔を徐々に狭くしても良い。
【００５３】
また、本発明では、第２付勢手段として板ばね３１を用いたが、本発明では、板ばね３１に限らず種々の付勢手段を用いても良い。さらに、一端部を中心としてローラアーム２１を回転することで、搬送ローラ２２のローラ３３とディスクガイド２３とを接離させたが、本発明では、種々の構成にして、搬送ローラ２２のローラ３３とディスクガイド２３とを接離させても良い。
【００５４】
前述した実施例によれば、以下のＣＤチェンジャ１が得られる。
【００５５】
（付記）  互いの間にＣＤ２を挟みこんで当該ＣＤ２を機器本体３に出し入れするとともに、前記機器本体３の幅方向Ｘの端に向かうにしたがって互いの間隔が徐々に狭く形成された搬送ローラ２２及びディスクガイド２３と、
前記搬送ローラ２２及びディスクガイド２３を互いに近づく方向に付勢したコイルばね３０と、を備えたＣＤチェンジャ１において、
前記搬送ローラ２２及びディスクガイド２３の中央部間のみに前記ＣＤ２が位置付けられると、搬送ローラ２２と間隔をあけ、かつ前記搬送ローラ２２及びディスクガイド２３の端部間と中央部間との双方に前記ＣＤ２が位置付けられると前記搬送ローラ２２に接触して、当該搬送ローラ２２をディスクガイド２３に向かって付勢する板ばね３１を備えたことを特徴とするＣＤチェンジャ１。
【００５６】
付記によれば、互いの間にＣＤ２を挟んで出し入れする搬送ローラ２２とディスクガイド２３との間の間隔を機器本体３の幅方向Ｘの端に向かうにしたがって徐々に狭く形成し、常に搬送ローラ２２とディスクガイド２３とを互いに近づく方向に付勢するコイルばね３０とは別体に、搬送ローラ２２とディスクガイド２３との端部間のみにＣＤ２が位置した状態即ち搬送ローラ２２とディスクガイド２３とが互いの間に挟みこんだＣＤ２を出し入れしている状態に、これらの搬送ローラ２２とディスクガイド２３とが互いに近づく方向に付勢する板ばね３１を設けている。
【００５７】
こうすることで、常に搬送ローラ２２とディスクガイド２３とを互いに近づく方向に付勢するコイルばね３０の付勢力を最小限にすることができ、即ち、コイルばね３０が搬送ローラ２２とディスクガイド２３とを互いに近づく方向に付勢する付勢力を最小限にすることができる。したがって、ＣＤ２の外表面に油分や塵埃などが付着してもＣＤ２を搬送できる搬送力を確保しながらも、機器本体３外に排出されたＣＤ２を搬送ローラ２２とディスクガイド２３とが挟み込む力を最小限にして即ち抑制して、ユーザーが搬送ローラ２２とディスクガイド２３との間からＣＤ２を引き抜く際のフィーリングを良好に保つことができる。
【００５８】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００５９】
【図１】本発明の一実施例にかかる情報処理装置としてのＣＤチェンジャの外観を示す斜視図である。
【図２】図１に示されたＣＤチェンジャの互いに組み付けられた固定シャーシとディスク搬送部とディスク再生部とディスク収容部とディスク移動機構を示す斜視図である。
【図３】図２に示されたＣＤチェンジャのディスク搬送部の構成を模式的に示す説明図である。
【図４】図３に示されたディスク搬送部の搬送ローラとディスクガイドの正面図である。
【図５】図３に示されたディスク搬送部の搬送ローラとディスクガイドの中央部間のみにＣＤ２が挟まれた状態を模式的に示す説明図である。
【図６】図５に示されたディスク搬送部の搬送ローラとディスクガイドの正面図である。
【図７】図５に示された搬送ローラとＣＤとの位置関係を示す説明図である。
【図８】図３に示されたディスク搬送部の搬送ローラとディスクガイドの中央部間と両端部間との双方にＣＤ２が挟まれた状態を模式的に示す説明図である。
【図９】図８に示されたディスク搬送部の搬送ローラとディスクガイドの正面図である。
【図１０】図８に示された搬送ローラとＣＤとの位置関係を示す説明図である。
【符号の説明】
【００６０】
１  ＣＤチェンジャ（情報処理装置）
２  ＣＤ（記録媒体）
３  機器本体
２２  搬送ローラ（挟持部材、一方の挟持部材）
２３  ディスクガイド（挟持部材、他方の挟持部材）
３０  コイルばね（付勢手段）
３１  板ばね（第２付勢手段）
Ｘ  幅方向
【図１】
2009076157.tif 000003
【図２】
2009076157.tif 000004
【図３】
2009076157.tif 000005
【図４】
2009076157.tif 000006
【図５】
2009076157.tif 000007
【図６】
2009076157.tif 000008
【図７】
2009076157.tif 000009
【図８】
2009076157.tif 000010
【図９】
2009076157.tif 000011
【図１０】
2009076157.tif 000012